(57)【特許請求の範囲】
【請求項１】
開閉可能な一対のケースと、これらケース内に収納されると共に遊技機の製造業者を示す複数の社名が一列に表示された制御基板と、これら複数の社名の１つを露呈させて残りを隠蔽する目隠し部材とを備え、
前記制御基板に前記社名の配列方向に沿って延びるスリットが設けられていると共に、このスリットに溝幅を部分的に広くした幅広部を形成し、前記目隠し部材に突設したフック爪を前記幅広部から挿入して前記制御基板に係止することにより、前記目隠し部材を前記スリット内の所定位置に移動可能となした後、前記制御基板に前記幅広部と重なるように取付板を固定して前記フック爪の前記幅広部からの脱落を阻止すると共に、この取付板と前記目隠し部材とに跨がるように封印テープを貼着したことを特徴とする遊技機の基板ユニット。
【請求項２】
請求項１の記載において、前記制御基板に前記スリットの近傍に位置する半田ランドを設け、この半田ランドに前記取付板を半田付けしたことを特徴とする遊技機の基板ユニット。
【発明の詳細な説明】
【技術分野】
【０００１】
本発明は、パチンコ機やスロットマシン等の遊技機に備えられる基板ユニットに関するものである。
【背景技術】
【０００２】
パチンコ機やスロットマシン等の遊技機には遊技の制御を司る種々の制御基板が設けられており、この制御基板には「遊技機の製造業者の社名」や「当該基板の型式を特定するための番号、記号その他の符号」を印刷することが義務付けられている。通常、この種の制御基板は上ケースと下ケース内に収納されることで基板ユニットとして構成されており、この基板ユニットは遊技機の裏面や筐体内部に着脱可能に取り付けられている。
【０００３】
近年、遊技機の分野でも部品の共通化が推進されており、例えばＡ社用とＢ社用のパチンコ機に対して一種類の制御基板を共通に使用することで、基板の製造コストを削減しようとする試みがなされている。この場合、制御基板には対応する製造業者の社名と型式識別標識を印刷する必要があるため、基板に搭載される回路構成の共通化は図れるとしても、Ａ社の製造業者識別標識と型式識別標識が印刷された基板と、Ｂ社の製造業者識別標識と型式識別標識が印刷された基板とを個別に製造して管理する必要がある。したがって、同一の制御内容を有する制御基板であるにも拘わらず、製造コストの大幅な低減化は困難となり、部品管理も煩雑になるという問題があった。
【０００４】
そこで、従来より、基板主体部の隅部に切断部を介して連接する複数の識別標識表示部を設けると共に、これら各識別標識表示部に製造業者名等を示す異なる識別標識（例えばＡ社用とＢ社用）を表示し、１つの切断部を除いて残りの切断部を基板主体部から切断することにより、任意の１つの識別標識表示部だけを基板主体部に一体に残すようにした制御基板が提案されている（例えば、特許文献１参照）。このように構成された制御基板では、Ａ社の識別標識が表示された識別標識表示部を切断して除去すればＢ社用の制御基板となり、Ｂ社の識別標識が表示された識別標識表示部を切断して除去すればＡ社用の制御基板となるため、同一の回路構成部品を搭載した一種類の制御基板を製造するだけで、異なる２つの製造業者に対して制御基板を供給することができる。
【先行技術文献】
【特許文献】
【０００５】
【特許文献１】特開２０１０−１４２４７１号公報
【発明の概要】
【発明が解決しようとする課題】
【０００６】
前述した従来技術によれば、不要な識別標識表示部を基板主体部から除去すると共に、必要な識別標識表示部だけを基板主体部に一体に残すことにより、一種類の制御基板を複数の製造会社用に共通に使用することができるため、基板の製造コストを削減することができる。しかしながら、不要とされる識別標識表示部を切断して基板主体部から除去することで所望の制御基板を得るようにしているため、例えばＢ社の識別標識が表示された識別標識表示部を除去してＡ社用の制御基板とした場合、この制御基板をＢ社用としてリユース（再使用）することはできず、循環型社会を構築するという昨今のトレンドに対応できていないという難点があった。
【０００７】
本発明は、このような従来技術の実情に鑑みてなされたもので、その目的は、一種類の制御基板を複数の会社間で共通に使用できると共に、異なる会社間でのリユースを可能にした遊技機の基板ユニットを提供することにある。
【課題を解決するための手段】
【０００８】
上記の目的を達成するために、本発明の基板ユニットは、開閉可能な一対のケースと、これらケース内に収納されると共に遊技機の製造業者を示す複数の社名が一列に表示された制御基板と、これら複数の社名の１つを露呈させて残りを隠蔽する目隠し部材とを備え、前記制御基板に前記社名の配列方向に沿って延びるスリットが設けられていると共に、このスリットに溝幅を部分的に広くした幅広部を形成し、前記目隠し部材に突設したフック爪を前記幅広部から挿入して前記制御基板に係止することにより、前記目隠し部材を前記スリット内の所定位置に移動可能となした後、前記制御基板に前記幅広部と重なるように取付板を固定して前記フック爪の前記幅広部からの脱落を阻止すると共に、この取付板と前記目隠し部材とに跨がるように封印テープを貼着するという構成にした。
【０００９】
このように構成された基板ユニットでは、制御基板にフック爪を係止してスリット内を移動可能とした目隠し部材と、制御基板に固定してフック爪のスリットからの脱落を阻止するようにした取付板とに跨がるように封印テープを貼着することにより、この目隠し部材がスリットの所定位置に取り付けられて複数の社名の１つを選択的に露呈するようになっているため、一種類の制御基板を複数の会社間で共通に使用することができる。また、スリットにおける目隠し部材の取付位置を変更することにより、それまで目隠し部材に隠されていた別の社名を露呈させることができるため、異なる複数の会社間でのリユースも可能となる。
【００１０】
上記の構成において、取付板を制御基板に固定する手段としてかしめや接着あるいはネジ止め等を用いることも可能であるが、制御基板にスリットの近傍に位置する半田ランドを設けておき、この半田ランドに取付板を半田付けすると、制御基板に回路構成部品やコネクタ等を半田付けする工程で取付板も同時に半田付けすることができて好ましい。
【発明の効果】
【００１１】
本発明による遊技機の基板ユニットは、制御基板にフック爪を係止した目隠し部材と制御基板に固定した取付板とに跨がるように封印テープを貼着することにより、この目隠し部材がスリットの所定位置に取り付けられて複数の社名の１つを選択的に露呈するようになっているため、一種類の制御基板を複数の会社間で共通に使用することができるだけでなく、スリットにおける目隠し部材の取付位置を変えることにより、それまで目隠し部材に隠されていた別の社名を露呈させることができるため、異なる複数の会社間でのリユースも可能となる。
【図面の簡単な説明】
【００１２】
【図１】本発明の基板ユニットが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施形態例に係る基板ユニットの外観斜視図である。
【図５】図４に示す基板ユニットの背面図である。
【図６】図４に示す基板ユニット内に収納された制御基板の平面図である。
【図７】図６の制御基板に目隠し部材を取り付ける直前の状態を示す斜視図である。
【図８】該目隠し部材を制御基板のスリットに挿入した状態を示す平面図である。
【図９】図８のＡ−Ａ線に沿う断面拡大図である。
【図１０】図８の制御基板に取付板を半田付けした状態を示す平面図である。
【発明を実施するための形態】
【００１３】
発明の実施の形態について図面を参照して説明すると、図１に示すように、本発明の基板ユニットが取り付けられたパチンコ機（遊技機）Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１４】
図２に示すように、機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン（図示せず）が設けられており、これら両第１ピンが対応する上下の軸受け体に軸支されることにより、本体枠２は機枠１に対して開閉自在となっている。
【００１５】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００１６】
本体枠２の右側枠部にはシリンダ錠１１ａを有する施錠装置１１が設置されており、図示省略されているが、この施錠装置１１は本体枠２の裏面に配置された後部施錠杆と本体枠２の前面に配置された前部施錠杆とを備えている。常態では、施錠装置１１の後部施錠杆により機枠１に対して本体枠２が施錠されると共に、施錠装置１１の前部施錠杆により本体枠２に対してガラス扉３が施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。
【００１７】
ガラス扉３の左側枠部の上下両端には第２ピン（図示せず）が設けられており、これら両第２ピンを本体枠２の上下の軸孔（図示せず）に挿入することにより、ガラス扉３は本体枠２に対して開閉自在となっている。図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置１０の発射強度を調整するための操作ハンドル１６が配設されている。
【００１８】
図３に示すように、このパチンコ機Ｐの背面側には、遊技に関する主要な処理を行う主制御処理部１７と、主制御処理部１７からの指令を受けて可変表示装置やスピーカ等の各種装置を制御する副制御処理１８と、賞球払出装置１９と、主制御処理部１７からの指令を受けて賞球払出装置１９を制御する払出制御処理部２０と、操作ハンドル１６の回動量に応じて発射装置１０の作動を制御する発射制御処理部２１と、賞球数や大当たり回数等の各種情報を遊技場のホールコンピュータに出力する外部端子基板２２等が設けられている。
【００１９】
主制御処理部１７は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。後述するように、制御基板は一対のケース内に収納されて基板ユニット１００を構成しており、この基板ユニット１００は遊技盤３の裏面に支持部材等を介して設けられている。
【００２０】
次に、基板ユニット１００の詳細な構造について図４〜図１１を参照しながら説明すると、本実施形態例に係る基板ユニット（遊技機の基板ユニット）１００は、矩形箱状の透明な上ケース１０１と、矩形箱状の透明な下ケース１０２と、断面コ字形状のシールカバー１０３とを備えている。そして、上ケース１０１と下ケース１０２の内部に収納空間が形成されており、この収納空間にＲＡＭ等が実装された前述の制御基板１０４が収納されている（図５参照）。
【００２１】
上ケース１０１と下ケース１０２はスライド嵌合によって重ね合わされるようになっており、これら両ケース１０１，１０２の一方の短辺側どうしを重ね合わせて図示せぬネジで固定した後、その重なり部分に跨がるように封印シール１０５が貼り付けられている。封印シール１０５は裏面に粘着層が形成された矩形状のベースシートを備えた公知のものであり、詳細については説明を省略するが、粘着層にはＩＣタグが埋め込まれている。このＩＣタグは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。なお、封印シール１０５のベースシートは手指を用いて簡単に破ることが可能であり、ベースシートを破ることによってＩＣタグも同時に切断される。シールカバー１０３は一側面を開放した透明な樹脂成形品であり、このシールカバー１０３によって封印シール１０５は覆われている。シールカバー１０３は両ケース１０１，１０２に対して側方から挿入されて超音波溶着やかしめ等の適宜手段で固定されており、これによって両ケース１０１，１０２は制御基板１０４を収納した状態で封印されるようになっている。
【００２２】
図６に示すように、制御基板１０４の四隅には取付孔１０４ａが形成されており、これら取付孔１０４ａに挿入した図示せぬネジによって制御基板１０４は上ケース１０１の内部に固定される。この制御基板１０４の表面には、前述した主制御処理部１７の回路構成部品（図示せず）や複数のコネクタ１０６が実装される他、第１識別標識部１０７と第２識別標識部１０８が一側縁の近傍に印刷されている。第１識別標識部１０７には「パチンコ機（遊技機）の製造業者の名称」を示す複数の社名が印刷されており、本実施形態例の場合、製造業者が○○社であることを示す「○○」と、製造業者が△△社であることを示す「△△」と、製造業者が××社であることを示す「××」の３つが制御基板１０４の一側縁に沿って互いに近接した状態で一列に印刷されている（図７参照）。また、第２識別標識部１０８には「当該基板の型式」を特定するための番号、記号その他の符号が印刷されている。
【００２３】
制御基板１０４には第１識別標識部１０７を挟んで平行に延びる一対のスリット１０９が穿設されており、これらスリット１０９にはその溝幅を部分的に広くした幅広部１０９ａが形成されている。また、制御基板１０４の一側縁近傍の２箇所には半田ランド１１０が設けられており、これら半田ランド１１０で挟まれた領域に一方のスリット１０９の幅広部１０９ａが位置している。半田ランド１１０は制御基板１０４上に設けられた図示せぬ配線パターンと同一工程で形成されるが、配線パターンとは電気的に独立したダミーランドである。
【００２４】
制御基板１０４の第１識別標識部１０７上には目隠し部材１１１が取り付けられており、この目隠し部材１１１が第１識別標識部１０７の複数の社名の１つを露呈させて残りを隠蔽するようになっている。図７に示すように、この目隠し部材１１１は、中央部に窓孔１１１ａを有する長板状の本体部１１１ｂと、本体部１１１ｂの窓孔１１１ａを挟んだ両側縁から垂下する一対のフック爪１１１ｃとで構成されており、これら本体部１１１ｂと両フック爪１１１ｃは黒色や灰色等の不透明樹脂を用いて一体成形されている。本体部１１１ｂは第１識別標識部１０７の印刷領域に対して十分に長く形成されており、第１識別標識部１０７の複数の社名の１つが窓孔１１１ａから露出し、残り２つの社名が本体部１１１ｂによって隠蔽されている。フック爪１１１ｃは対応するスリット１０９内に挿入されて制御基板１０４の裏面に係止しており、フック爪１１１ｃをスリット１０９に沿ってスライド移動させると、目隠し部材１１１が第１識別標識部１０７上を移動できるようになっている。ただし、フック爪１１１ｃはスリット１０９の幅方向に弾性変形することで制御基板１０４の裏面に係止されるため、フック爪１１１ｃをスリット１０９に対して挿入／離脱できる部位は幅広部１０９ａだけである。
【００２５】
制御基板１０４の半田ランド１１０には長板状の取付板１１２が半田付けされており、この取付板１１２によって一方のスリット１０９の幅広部１０９ａが塞がれている。取付板１１２は目隠し部材１１１の本体部１１１ｂとほぼ同一厚の樹脂成形品であり、その長手方向の両端部に金属製の端子１１２ａが突設されている。さらに、取付板１１２の上面と目隠し部材１１１の本体部１１１ｂとに跨がって封印テープ１１３が貼着されており、この封印テープ１１３によって目隠し部材１１１は制御基板１０４上に固定されて移動できないようになっている。封印テープ１１３はセキュリティテープ等と呼ばれる公知の開封防止用テープであり、封印テープ１１３を取付板１１２と本体部１１１ｂから剥がすと、その貼着面に「改ざん厳禁、不正厳禁」等の疑似接着印刷された文字が現れるようになっている。
【００２６】
このような目隠し部材１１１を用いて複数の製造業者名の中から１つ、例えば「○○」社用の制御基板１０４を製造する場合、図７に示すように、まず、制御基板１０４の上方から目隠し部材１１１の両フック爪１１１ｃを対応するスリット１０９の幅広部１０９ａに挿入する。これにより、両フック爪１１１ｃは幅広部１０９ａの内側縁に当接して外側に押し広げられた後、図８と図９に示すように、自身の弾性復帰力で元の状態に戻って制御基板１０４の裏面に係止され、目隠し部材１１１の窓孔１１１ａ内に第１識別標識部１０７の「△△」と「××」の一部が露呈する。しかる後、フック爪１１１ｃをスリット１０９に沿って図８の左方へ大きくスライド移動することにより、図１０に示すように、目隠し部材１１１の窓孔１１１ａ内に第１識別標識部１０７の「○○」を露呈させる。
【００２７】
次に、取付板１１２を制御基板１０４に載置して一方のスリット１０９の幅広部１０９ａ上に重ね合わせ、この状態で取付板１１２の端子１１２ａを半田ランド１１０に半田付けすると、制御基板１０４の裏面に係止しているフック爪１１１ｃを外側へ押し広げることができなくなる。したがって、取付板１１２を制御基板１０４に半田付け（固定）した後は、仮にフック爪１１１ｃを幅広部１０９ａまで移動させたとしても、目隠し部材１１１を制御基板１０４から取り外すことは不可能となる。最後に、図６に示すように、封印テープ１１３を取付板１１２と目隠し部材１１１の本体部１１１ｂとに跨がって貼着すると、フック爪１１１ｃのスリット１０９内での移動が阻止されるため、目隠し部材１１１は制御基板１０４上に移動不能な状態で取り付けられる。その結果、第１識別標識部１０７に印刷された複数の製造業者名のうち、窓孔１１１ａ内に露呈する「○○」は外部から目視可能となるが、残りの「△△」と「××」は本体部１１１ｂに覆われて隠蔽されるため、この制御基板１０４は「○○」社専用の基板となる。
【００２８】
なお、「××」社用の制御基板１０４を製造する場合は、図８に示すように、目隠し部材１１１の両フック爪１１１ｃを対応する幅広部１０９ａに挿入して制御基板１０４の裏面に係止させた後、この目隠し部材１１１を図８の右方へ僅かに移動して窓孔１１１ａ内に「××」を露呈させ、この状態で取付板１１２の端子１１２ａを半田ランド１１０に半田付けした後、封印テープ１１３を取付板１１２と目隠し部材１１１の本体部１１１ｂとに跨がって貼着すれば良い。また、「△△」社用の制御基板１０４を製造する場合は、目隠し部材１１１の両フック爪１１１ｃを対応する幅広部１０９ａに挿入して制御基板１０４の裏面に係止させた後、この目隠し部材１１１を図８の左方へ僅かに移動して窓孔１１１ａ内に「△△」を露呈させ、この状態で取付板１１２の端子１１２ａを半田ランド１１０に半田付けした後、封印テープ１１３を取付板１１２と目隠し部材１１１の本体部１１１ｂとに跨がって貼着すれば良い。その際、目隠し部材１１１の窓孔１１１ａから露呈する社名は作業者の目視によって容易に確認可能であるが、制御基板１０４にスリット１０９に沿って複数の位置決め孔を形成しておき、本体部１１１ｂの裏面に設けた突起をこれら位置決め孔に係脱させるようにしても良く、このようにすると目隠し部材１１１がスリット１０９の所望位置に移動したことをクリック感触を伴って認識することができる。
【００２９】
以上説明したように、本実施形態例に係る基板ユニット１００では、目隠し部材１１１のフック爪１１１ｃをスリット１０９の幅広部１０９ａから挿入して制御基板１０４の裏面に係止させ、この目隠し部材１１１をスリット１０９に沿って移動して窓孔１１１ａ内に所望の会社名を露呈させた後、取付板１１２を制御基板１０４に半田付けして幅広部１０９ａを塞ぎ、この取付板１１２と目隠し部材１１１の本体部１１１ｂとに跨がって封印テープ１１３を貼着することにより、回路構成等を同じくする一種類の制御基板１０４を複数の会社間で共通に使用することができるため、各会社毎に製造基板を個別に製造する場合に比べると、部品管理を含めたトータルの製造コストを大幅に低減することができる。また、例えば「○○」社専用のパチンコ機（遊技機）に使用されていた制御基板１０４を別の「△△」社や「××」社用用としてリユース（再使用）する場合、封印テープ１１３を剥がして取付板１１２と目隠し部材１１１を制御基板１０４から取り外した後、新たに交換した目隠し部材１１１を制御基板１０４に再固定して窓孔１１１ａ内に別の社名を露呈させれば良いため、異なる複数の会社間でのリユースが可能となる。
【００３０】
また、取付板１１２を制御基板１０４に固定する手段として、制御基板１０４上に配線パターンと電気的に独立した半田ランド１１０を設けておき、この半田ランド１１０に取付板１１２の端子１１２ａを半田付けしているため、かしめやネジ止め等の他の固定手段に比べると比較的簡単かつ確実に取付板１１２を制御基板１０４の所定位置に固定することができる。しかも、制御基板１０４に回路構成部品やコネクタ１０６等を半田付けする前に目隠し部材１１１をスリット１０９に挿入しておけば、回路構成部品やコネクタ１０６等と取付板１１２とを同一工程で制御基板１０４上に半田付けすることができ、この点からも取付板１１２を制御基板１０４に簡単に固定することができる。ただし、制御基板１０４に回路構成部品やコネクタ１０６等を半田付けした後に、取付板１１２を手半田によって制御基板１０４に固定することも可能である。
【００３１】
なお、上記実施形態例では、封印テープ１１３を取付板１１２と目隠し部材１１１の本体部１１１ｂから剥がすと、これら取付板１１２と本体部１１１ｂの貼着面に「改ざん厳禁、不正厳禁」等の文字が現れるようになっているため、仮に封印テープ１１３を剥がして目隠し部材１１１の取付位置が不正に変更されたとしても、取付板１１２や目隠し部材１１１に残された文字によって不正行為が一目でわかるようになっている。また、上記実施形態例において、制御基板１０４に第１識別標識部１０７や第２識別標識部１０８とは別に図示せぬ第３識別標識部を設け、この第３識別標識部に「当該基板の管理情報」を示すデータをＱＲコード（登録商標）やバーコードとして印刷したり、ＩＣチップとして基板に埋め込むようにしても良く、このような第３識別標識部を設けておくと、仮に目隠し部材１１１が制御基板１０４から不正に取り外されたとしても、この第３識別標識部のデータから制御基板１０４の管理情報を確認することができる。
【００３２】
また、上記実施形態例では、不透明樹脂からなる目隠し部材１１１の窓孔１１１ａから所望の社名を露呈させるようにしているが、透明樹脂を用いて成形した目隠し部材１１１の窓孔１１１ａを除く本体部１１１ｂ裏面に隠蔽シールを貼着するようにしても良い。
【００３３】
さらに、上記実施形態例では、本発明の基板ユニット１００をパチンコ機Ｐに適用した場合について説明したが、スロットマシン等の他の遊技機についても同様に適用可能であることは言うまでもない。
【符号の説明】
【００３４】
１００  基板ユニット
１０１  上ケース
１０２  下ケース
１０４  制御基板
１０７  第１識別標識部
１０８  第２識別標識部
１０９  スリット
１０９ａ  幅広部
１１０  半田ランド
１１１  目隠し部材
１１１ａ  窓孔
１１１ｂ  本体部
１１１ｃ  フック爪
１１２  取付板
１１２ａ  端子
１１３  封印テープ
Ｐ  パチンコ機（遊技機）
【図１】
0005660904.tif 000002
【図２】
0005660904.tif 000003
【図３】
0005660904.tif 000004
【図４】
0005660904.tif 000005
【図５】
0005660904.tif 000006
【図６】
0005660904.tif 000007
【図７】
0005660904.tif 000008
【図８】
0005660904.tif 000009
【図９】
0005660904.tif 000010
【図１０】
0005660904.tif 000011